Podtech/llm-jp-corpus-v4-ja_patent huggingface dataset:
(57)【要約】      （修正有）【課題】構造が簡単な公園ベンチを提供する。【解決手段】ベンチの表面２、背もたれ１とゴミ箱４を含む。背もたれはベンチの表面の上方に設置され、ゴミ箱はベンチの表面の両側に設置される。ゴミ箱の表面はハンドル３が設置され、ベンチの表面の下部にはベンチ足５が設置される。【選択図】図１
0003200286.tif 000002
【実用新案登録請求の範囲】
【請求項１】
公園ベンチにおいて、ベンチ本体、背もたれとゴミ箱を含み、背もたれはベンチ本体の上方に設置され、ゴミ箱はベンチ本体の両側に設置され、ゴミ箱の側面にはハンドルが設置され、ベンチ本体の下部にはベンチ足が設置されることを特徴とする公園ベンチ。
【請求項２】
請求項１に記載の公園ベンチにおいて、ゴミ箱の上面が平面であることを特徴とする公園ベンチ。
【考案の詳細な説明】
【技術分野】
【０００１】
本実用新案は、1種の公園ベンチにかかわる。
【背景技術】
【０００２】
都市、農村の園林建設の発展と人々の生活水準の日々高まるにつれ、園林建設と組み合わせるベンチに対する技術要求が高まり、人々は、園林の中でベンチのデザインがより重視するが、実用効果を軽視する。ベンチのそばに、いつも零れた包装袋がある。これは、観光客が休みの中で、捨ててしまうことである。
【考案の概要】
【考案が解決しようとする課題】
【０００３】
本実用新案が解決の技術問題は、1種の構造が簡単の公園ベンチを提供することである。
【課題を解決するための手段】
【０００４】
これ以上の問題を解決するために、本実用新案は以下の技術方案を採用する。ベンチの表面、背もたれとゴミ箱を含みる。背もたれはベンチの表面の上方に設置され、ゴミ箱はベンチの表面の両側に設置される。ゴミ箱の表面はハンドルを設置され、ベンチの表面の下部はベンチ足を設置される。
【０００５】
さらに、ゴミ箱の頂面が平面である。
【考案の効果】
【０００６】
本実用新案の公園ベンチの有益効果は、構造が簡単で、ベンチの表面の両側にゴミ箱を取り付ける。観光客の休みの時に、食べ殘した包装袋とタバコの吸殻や灰がゴミ箱に入れできる。ゴミ箱の外側の頂面は、手とカップを置くことができる。環境を美化しながら、旅行が便利になった。
【図面の簡単な説明】
【０００７】
【図１】新型の公園ベンチの構造の見取り図である。
【考案を実施するための形態】
【０００８】
図１を見て、1種の公園ベンチは、ベンチの表面２（すなわちベンチ本体）、背もたれ１とゴミ箱４を含みる。背もたれ１はベンチの表面２の上方に設置され、ゴミ箱４はベンチの表面２の両側に設置される。ゴミ箱４の表面はハンドル３を設置され、ベンチの表面２の下部はベンチ足５を設置される。
【０００９】
その中で、ゴミ箱４の頂面が平面である。
【００１０】
以上によると、これは、わずか本実用新案の具体的な実施方式である。でも、本実用新案の保護範囲は、ここにだけではなく、何か創造的な労働を経てない変化と替えることが、本実用新案の保護範囲にいる。だから、本実用新案の保護範囲は、権利請求書に限定の保護範囲によって基準をする。
【符号の説明】
【００１１】
１、背もたれ
２、ベンチの表面
３、ハンドル
４、ゴミ箱
５、ベンチ足
【図１】
0003200286.tif 000003
(57)【要約】      （修正有）【課題】アウトドアベンチの分解が便利になるアウトドアベンチの固定構造を提供する。【解決手段】ベンチ本体１、およびベンチ本体の底に設置される支える足２、地上に設置される固定ブロック３を含む。支える足の底にカード４が設置され、固定ブロックの内にカードと配合し接続するカードスロット５が設置される。【選択図】図１
0003200282.tif 000002
【実用新案登録請求の範囲】
【請求項１】
アウトドアベンチにおいて、ベンチ本体、およびベンチ本体の底に設置された、支える足、地上に設置された固定ブロックを含み、支える足の底にカードが設置され、固定ブロックの内にカードと配合し接続するカードスロットが設置されたことを特徴とするアウトドアベンチ。
【請求項２】
請求項１に記載のアウトドアベンチにおいて、固定ブロックの両側に、地面と固定し接続するための取り付け穴があることを特徴とするアウトドアベンチ。
【考案の詳細な説明】
【技術分野】
【０００１】
本実用新案は、1種のアウトドアベンチの固定構造にかかわる。
【背景技術】
【０００２】
現在、公園や道路の辺に使用するアウトドアベンチは、常にネジを採用し、地面と固定される。時間が長くて、ネジはいつもさびされ、アウトドアベンチはうまく取り外されない。
【考案の概要】
【考案が解決しようとする課題】
【０００３】
本実用新案が解決の技術問題は、アウトドアベンチの固定構造を提供し、アウトドアベンチの分解が便利になる。
【課題を解決するための手段】
【０００４】
これ以上の問題を解決するために、本実用新案は以下の技術方案を採用する。1種のアウトドアベンチの固定構造は、ベンチ本体、およびベンチ本体の底に設置される支える足、地上に設置される固定ブロックを含みる。支える足の底にカードを設置され、固定ブロックの内にカードと配合し接続するカードスロットを設置される。
【０００５】
優先的に、固定ブロックの両&#20391;に、地面と固定し接続の取り付け穴がある。
【考案の効果】
【０００６】
この新型のアウトドアベンチの固定構造の有益効果は、支える足の底に設置されるカード、及び固定ブロックの内に設置されるカードスロットを通じて、ベンチ本体が必要に応じて、勝手に分解できる。しかも、ボルトで固定しないので、分解する時にツールを必要しない、とても便利である。
【図面の簡単な説明】
【０００７】
【図１】アウトドアベンチの固定構造の見取り図である。
【考案を実施するための形態】
【０００８】
図１を見て、1種のアウトドアベンチの固定構造は、ベンチ本体１、およびベンチ本体１の底に設置される支える足２、地上に設置される固定ブロック３を含みる。支える足２の底にカード４を設置され、固定ブロック３の内にカード４と配合し接続するカードスロット５を設置される。
【０００９】
その中で、固定ブロック４の両&#20391;に、地面と固定し接続の取り付け穴６がある。
【００１０】
本実用新案のアウトドアベンチの固定構造の有益効果は、支える足の底に設置されるカード、及び固定ブロックの内に設置されるカードスロットを通じて、ベンチ本体が必要に応じて、勝手に分解できる。しかも、ボルトで固定しないので、分解する時にツールを必要しない、とても便利である。
【００１１】
以上によると、これは、わずか本実用新案の具体的な実施方式である。でも、本実用新案の保護範囲は、ここにだけではなく、何か創造的な労働を経てない変化と替えることが、本実用新案の保護範囲にいる。だから、本実用新案の保護範囲は、権利請求書に限定の保護範囲によって基準をする。
【符号の説明】
【００１２】
１  ベンチ本体
２  足
３  固定ブロック
【図１】
0003200282.tif 000003
(57)【要約】      （修正有）【課題】雨を防ぐアウトドアベンチを提供する。【解決手段】アウトドアベンチは、ベンチの本体１、および下部に本体を支える一対の足２を含む。ベンチの両側に手すり３を設置し、後ろ側に背もたれ４を設置し、中央部に雨宿り傘５がある。雨宿り傘は、レバー６、およびレバー上の骨７や傘面８を含む。傘面の円周方向に雨宿りカーテン９があり、雨宿りカーテンを通して、風と雨を有効に防ぐ。【選択図】図１
0003200281.tif 000002
【実用新案登録請求の範囲】
【請求項１】
アウトドアベンチにおいて、ベンチの本体、および下部に本体を支える足を含み、支える足は２つあり、それぞれベンチ本体底部の両側に設置され、上部の両側に手すりが設置され、後ろ側に背もたれが設置され、ベンチ本体の中部に雨宿り傘があり、雨宿り傘は、レバー、およびレバー上方に骨や傘面を含み、傘面の円周に雨宿りカーテンが設けられたことを特徴とするアウトドアベンチ。
【請求項２】
請求項１に記載のアウトドアベンチにおいて、傘面がベンチの本体の上方を覆っている  ことを特徴とするアウトドアベンチ。
【考案の詳細な説明】
【技術分野】
【０００１】
本実用新案は、1種の雨を防ぐアウトドアベンチにかかわる。
【背景技術】
【０００２】
この前、現有の雨を防ぐ効能があるアウトドアベンチは、雨を防ぐ方向が常に上方であるから、その風力が大きい場合には、その遮雨機能が特に足りないである。
【考案の概要】
【考案が解決しようとする課題】
【０００３】
本実用新案が解決の技術問題は、1種の雨を防ぐアウトドアベンチを提供する。それぞれの方向の風と雨を有効に対抗できり、使用者の体が雨に濡れてない。
【課題を解決するための手段】
【０００４】
これ以上の問題を解決するために、本実用新案は以下の技術方案を採用する。１種の雨を防ぐアウトドアベンチであり、ベンチの本体、および下部に本体を支える足を含みる。支える足は二対があり、それぞれベンチ本体底部の両側に設置された。上部の両&#20391;に手すりを設置し、後ろ側に背もたれを設置し、中部に雨宿り傘がある。傘面の円週方向に雨宿りカーテンがある。
【０００５】
優先的に、傘面がベンチの本体の上方に覆っている。
【考案の効果】
【０００６】
本実用新案の雨を防ぐアウトドアベンチの有益効果は、傘面の円週方向に雨を防ぐ雨宿りカーテンを通して、それぞれの方向の風と雨を有効に対抗できり、使用者の体が雨に濡れてない。本実用新案の構造は簡単で、使いやすい。
【図面の簡単な説明】
【０００７】
【図１】雨を防ぐアウトドアベンチの構造の見取り図である。
【考案を実施するための形態】
【０００８】
図１を見て、雨を防ぐアウトドアベンチは、ベンチの本体１、および下部に本体１を支える足２を含みる。支える足２は二対があり、それぞれベンチ本体１底部の両側に設置された。上部の両側に手すり３を設置し、後ろ側に背もたれ４を設置し、中部に雨宿り傘５がある。雨宿り傘５は、レバー６、およびレバー６上の骨７や傘面８を含みる。傘面８の円週方向に雨宿りカーテン９がある。
【０００９】
その中で、傘面８がベンチの本体１の上方に覆っている。
【００１０】
本実用新案の雨を防ぐアウトドアベンチの有益効果は、傘面の円週方向に雨を防ぐ雨宿りカーテンを通して、それぞれの方向の風と雨を有効に対抗できり、使用者の体が雨に濡れてない。また、本実用新案の構造は簡単で、使いやすいである。
【００１１】
以上によると、これは、わずか本実用新案の具体的な実施方式である。でも、本実用新案の保護範囲は、ここにだけではなく、何か創造的な労働を経てない変化と替えることが、本実用新案の保護範囲にいる。だから、本実用新案の保護範囲は、権利請求書に限定の保護範囲によって基準をする。
【符号の説明】
【００１２】
１  ベンチの本体
２  足
【図１】
0003200281.tif 000003
(57)【要約】      （修正有）【課題】使用の必要によって高さを調節できるアウトドアベンチを提供する。【解決手段】ベンチの本体１、および下部に本体を支える足２を含む。支える足は二対あり、それぞれベンチ本体底部の両側に設置される。上部の両側に手すり３を設置し、支える足の中部に２つ以上の定位スロット４を設置し、定位スロットの内にベンチ表面を設置する。【選択図】図１
0003200284.tif 000002
【実用新案登録請求の範囲】
【請求項１】
アウトドアベンチにおいて、ベンチの本体、および下部に本体を支える足を含み、支える足は二対あり、それぞれベンチ本体底部の両側に設置され、上部の両側に手すりが設置され、支える足の中部に2つ以上の定位スロットを設置し、定位スロット内にベンチの表面部を設置することを特徴とするアウトドアベンチ。
【請求項２】
請求項１に記載のアウトドアベンチにおいて、定位スロットが貫通スロットであることを特徴とするアウトドアベンチ。
【考案の詳細な説明】
【技術分野】
【０００１】
本実用新案は、1種の高度を調節できるアウトドアベンチにかかわる。
【背景技術】
【０００２】
現有のアウトドアベンチの多くは固定式で、使用の必要によって高度を調節できない、非常に便利がない。
【考案の概要】
【考案が解決しようとする課題】
【０００３】
本実用新案が解決の技術問題は、使用の必要によって高度を調節できるアウトドアベンチを提供することである。
【課題を解決するための手段】
【０００４】
これ以上の問題を解決するために、本実用新案は以下の技術方案を採用する。1種の高度を調節できるアウトドアベンチは、ベンチの本体、および下部に本体を支える足を含みる。支える足は二対があり、それぞれベンチ本体底部の両側に設置された。上部の両&#20391;に手すりを設置し、支える足の中部に2つ以上の定位スロットを設置し、定位スロットの内にベンチ表面を設置する。
【０００５】
優先的に、定位スロットが通りスロットである。通りスロットを採用により、ベンチ表面が支える足の両側で勝手に引き出し、高度を調整できる。
【考案の効果】
【０００６】
本実用新案の高度を調節できるアウトドアベンチの有益効果は、設置された定位スロットを通して、使用者は自分の必要によって、ベンチ表面が違い高度の定位スロットに置いて、ベンチ表面の高度を調節する効果を達成でき、非常に便利である。
【図面の簡単な説明】
【０００７】
【図１】高度を調節できるアウトドアベンチの構造の見取り図である。
【考案を実施するための形態】
【０００８】
図１を見て、1種の高度を調節できるアウトドアベンチは、ベンチの本体１、および下部に本体１を支える足２を含みる。支える足２は二対があり、それぞれベンチ本体１の底の両側に設置された。上部の両&#20391;に手すり３を設置し、支える足２の中部に2つ以上の定位スロット４を設置し、定位スロット４の内にベンチ表面５を設置する。
【０００９】
その中で、定位スロット４が通りスロットである。通りスロットを採用により、ベンチ表面が支える足の両側で勝手に引き出し、高度を調整できる。
【００１０】
この高度を調節できるアウトドアベンチの有益効果は、設置された定位スロットを通して、使用者は自分の必要によって、ベンチ表面が違い高度の定位スロットに置いて、ベンチ表面の高度を調節する効果を達成でき、非常に便利である。
【００１１】
以上によると、これは、わずか本実用新案の具体的な実施方式である。でも、本実用新案の保護範囲は、ここにだけではなく、何か創造的な労働を経てない変化と替えることが、本実用新案の保護範囲にいる。だから、本実用新案の保護範囲は、権利請求書に限定の保護範囲によって基準をする。
【符号の説明】
【００１２】
１  ベンチの本体
２  足
３  手すり
４  定位スロット
【図１】
0003200284.tif 000003
(57)【要約】      （修正有）【課題】多くの人を収容でき、人々の休みを便利にし、かつ構造が簡単で、設置コストが低い環状の公園ベンチを提供する。【解決手段】環状の固定ラック１、および固定ラックの上端に設置されるベンチ表面２、ベンチ表面の中部に設置される背もたれ３を含む。固定ラックには人が通るための開口がある。【選択図】図１
0003200283.tif 000002
【実用新案登録請求の範囲】
【請求項１】
公園ベンチにおいて、一つの環状の固定ラック、および固定ラックの上端に設置されるベンチ、ベンチ表面の中部に設置される背もたれを含み、固定ラックには人が通るための開口があることを特徴とする公園ベンチ。
【請求項２】
請求項１に記載の公園ベンチにおいて、背もたれは第一背もたれと第二背もたれがあり、第一背もたれと第二背もたれが対称的に設置されることを特徴とする公園ベンチ。
【考案の詳細な説明】
【技術分野】
【０００１】
本実用新案は、1種の環状の公園ベンチにかかわる。
【背景技術】
【０００２】
人々の生活の質の向上につれ、茶飲み話に、人々はよく公園へ散歩に行っている。また、公園に既存のベンチは、常にただ二人の位置があり、多くの人に座ってない、非常に不便である。
【考案の概要】
【考案が解決しようとする課題】
【０００３】
本実用新案が解決の技術問題は、1種の環状の公園ベンチを提供し、多くの人を収容できり、人々の休みを便利し、かつ構造が簡単で、入力コストが低い。
【課題を解決するための手段】
【０００４】
これ以上の問題を解決するために、本実用新案は以下の技術方案を採用する。1種の環状の公園ベンチは、一つ環状の固定ラック、および固定ラックの上端に設置されるベンチ表面、ベンチ表面の中部に設置される背もたれを含みる。固定ラックで人通りにための開口がある。
【０００５】
優先的に、背もたれは第一背もたれと第二背もたれがあり、第一背もたれと第二背もたれが対称的に設置される。
【考案の効果】
【０００６】
本実用新案の環状の公園ベンチの有益効果は、環状の固定ラック、固定ラックの上方のベンチ表面とベンチ表面の中部に設置され、ベンチ表面に仕切り割の背もたれを通して、本実用新案は、一度により多くの人を収容し休みことができり、非常に便利である。
【図面の簡単な説明】
【０００７】
【図１】環状の公園ベンチの構造の見取り図である。
【考案を実施するための形態】
【０００８】
図１を見て、この1種の環状の公園ベンチは、一つ環状の固定ラック１、および固定ラック１の上端に設置されるベンチ表面２、ベンチ表面２の中部に設置される背もたれ３を含みる。固定ラック１で人通りにための開口がある。
【０００９】
その中で、背もたれ３は第一背もたれ５と第二背もたれ６があり、第一背もたれ５と第二背もたれ６が対称的に設置される。
【００１０】
本実用新案の環状の公園ベンチの有益効果は、環状の固定ラック、固定ラックの上方のベンチ表面とベンチ表面の中部に設置され、ベンチ表面に仕切り割の背もたれを通して、本実用新案は、一度により多くの人を収容し休みことができり、非常に便利である。
【００１１】
以上によると、これは、わずか本実用新案の具体的な実施方式である。でも、本実用新案の保護範囲は、ここにだけではなく、何か創造的な労働を経てない変化と替えることが、本実用新案の保護範囲にいる。だから、本実用新案の保護範囲は、権利請求書に限定の保護範囲によって基準をする。
【符号の説明】
【００１２】
１  固定ラック
２  ベンチ表面
３  背もたれ
【図１】
0003200283.tif 000003
(57)【要約】      （修正有）【課題】構造が簡単な、ピクニック用のテーブルを提供する。【解決手段】テーブルの表面１、第一ポール３と第二ポール２を含む。第一ポールはテーブルの表面の下部で固定的に設置され、第二ポールと第一ポールはネジを通じて接続する。【選択図】図１
0003200285.tif 000002
【実用新案登録請求の範囲】
【請求項１】
ピクニック用のテーブルにおいて、テーブル、第一ポールと第二ポールを含み、第一ポールはテーブルの下部で固定的に設置され、第二ポールと第一ポールはネジを通じて接続されることを特徴とするピクニック用のテーブル。
【請求項２】
請求項１に記載のピクニック用のテーブルにおいて、第一ポールの高さは20cm~25cmであることを特徴とするピクニック用のテーブル。
【考案の詳細な説明】
【技術分野】
【０００１】
本実用新案は、1種のピクニック用のテーブルにかかわる。
【背景技術】
【０００２】
現代の人々は、ますます日常生活のレジャー、娯楽を重視する。アウトドアピクニックは、人々の選択の一つになる。ピクニックの中で、紙やテーブルクロスを直接地面に置くから、一つには衛生的でない。二つにはピクニックを終わった後で、紙を直接に置いた、環境に影響する。だから、ピクニックの中で、1種のアウトドアピクニックを使用するテーブルは、まだ現れない。
【考案の概要】
【考案が解決しようとする課題】
【０００３】
本実用新案が解決の技術問題は、構造が簡単で、ピクニック用のテーブルを提供することである。
【課題を解決するための手段】
【０００４】
これ以上の問題を解決するために、本実用新案は以下の技術方案を採用する。テーブルの表面、第一ポールと第二ポールを含みる。第一ポールはテーブルの表面の下部で固定的に設置され、第二ポールと第一ポールはネジを通じて接続する。
【０００５】
さらに、第一ポールの高度は20cm~25cm。
【考案の効果】
【０００６】
本実用新案のピクニック用のテーブルの有益効果は、構造が簡単で、第一ポールと第二ポールのネジを通じて接続するから、座る時に、第二ポールを下ろし、テーブルの表面の高度を下げて、食べ物を取り扱いが便利である。また、第一ポールと第二ポールが分離できることによって、持ち運びに便利である。室内で使用する時に、第二ポールを接続できり、必要の高さに調節できる。
【図面の簡単な説明】
【０００７】
【図１】ピクニック用のテーブルの構造の見取り図である。
【考案を実施するための形態】
【０００８】
図１を見て、1種のピクニック用のテーブルは、テーブルの表面１、第一ポール３と第二ポール２を含みる。第一ポール３はテーブルの表面１の下部で固定的に設置され、第二ポール２と第一ポール３はネジを通じて接続する。
【０００９】
その中で、第一ポール３の高度は20cm~25cm。
【００１０】
以上によると、これは、わずか本実用新案の具体的な実施方式である。でも、本実用新案の保護範囲は、ここにだけではなく、何か創造的な労働を経てない変化と替えることが、本実用新案の保護範囲にいる。だから、本実用新案の保護範囲は、権利請求書に限定の保護範囲によって基準をする。
【符号の説明】
【００１１】
１、テーブルの表面
２、第二ポール
３、第一ポール
【図１】
0003200285.tif 000003
(57)【要約】      （修正有）【課題】ゴミ箱を有する構造が簡単な円形ベンチを提供する。【解決手段】円形ベンチは、ベンチ本体１、およびベンチ本体の上端に設置されるカバー５を含む。ベンチ本体の内部にキャビティ３が設置され、キャビティの内部にゴミ箱２が設置される。ベンチ本体とカバーの間には接続片６が設置され、カバーの底部には強化の筋４が設置される。【選択図】図１
0003200287.tif 000002
【実用新案登録請求の範囲】
【請求項１】
円形ベンチにおいて、ベンチ本体、およびベンチ本体の上端に設置されるカバーを含み、ベンチ本体の内部にキャビティが設置され、キャビティの内部にゴミ箱が設置され、ベンチ本体とカバーの間に接続片が設置され、カバーの底部に筋が設置されることを特徴とする円形ベンチ。
【請求項２】
請求項１に記載の円形ベンチにおいて、少なくとも一つ以上の筋が設置されたことを特徴とする円形ベンチ。
【考案の詳細な説明】
【技術分野】
【０００１】
本実用新案は、1種の円形ベンチにかかわる。
【背景技術】
【０００２】
ベンチは日常用品として、使用がとても広範である。現有のベンチは、家の隅に置かれ、一定の生活空間を占める。その機能は、単純に座るしかである。どのようにベンチを占める空間に効果的な利用するのは、待って解決な問題で、より多くの機能を実現することが重要である。
【考案の概要】
【考案が解決しようとする課題】
【０００３】
本実用新案が解決の技術問題は、構造が簡単な円形ベンチを提供することである。
【課題を解決するための手段】
【０００４】
これ以上の問題を解決するために、本実用新案は以下の技術方案を採用する。ベンチ本体、およびベンチ本体の上端に設置されるカバーを含みる。ベンチ本体の内部にキャビティを設置され、キャビティの内部にゴミ箱を設置される。ベンチ本体とカバーの間に接続片を設置され、カバーの底部に強化の筋を設置される。
【０００５】
さらに、強化の筋の設置が一条以上である。
【考案の効果】
【０００６】
本実用新案の円形ベンチの有益効果は、構造が簡単で、ベンチとゴミ箱を組み合わせるから、スペースを節約し、資金を節約する。もしベンチ本体の内部のゴミ箱を取り出したら、内部のキャビティが置物を用いて、より多くの効果を実現できる。
【図面の簡単な説明】
【０００７】
【図１】新型の円形ベンチの構造の見取り図である。
【考案を実施するための形態】
【０００８】
図１を見て、1種の円形ベンチは、ベンチ本体１、およびベンチ本体１の上端に設置されるカバー５を含みる。ベンチ本体１の内部にキャビティ３を設置され、キャビティ３の内部にゴミ箱２を設置される。ベンチ本体１とカバー５の間に接続片６を設置され、カバー５の底部に強化の筋４を設置される。
【０００９】
その中で、強化の筋の設置が一条以上である。
【００１０】
以上によると、これは、わずか本実用新案の具体的な実施方式である。でも、本実用新案の保護範囲は、ここにだけではなく、何か創造的な労働を経てないの変化と替えることが、本実用新案の保護範囲にいる。だから、本実用新案の保護範囲は、権利請求書に限定の保護範囲によって基準をする。
【符号の説明】
【００１１】
１、ベンチ本体
２、ゴミ箱
３、キャビティ
４、強化の筋
５、カバー
６、接続片。
【図１】
0003200287.tif 000003
(57)【要約】      （修正有）【課題】出し入れ簡単な二重底ハンドバッグを提供する。【解決手段】バッグの底に外開きの底マチをもう一層付ける事により、エコバッグなど必要小物をバッグの底に簡単に収納することができ、バッグの面のデザイン性に影響を与えることなく、実用的で便利な使用空間を作り出す二重底バッグ１であり、二重底３の取り付け方法はファスナー２、スナップ釦、面ファスナー等、から選択される。【選択図】図１
0003200263.tif 000002
【実用新案登録請求の範囲】
【請求項１】
バッグ等入れ物の底に外開きの底マーチをもう一層付ける事により、エコバッグなど必要小物をバッグの底に簡単に収納することにより、バッグの面のデザイン性に影響を与えることなく、実用的で便利な使用空間を作り出す二重底バッグである。その付け方法はファスナー、スナップ釦、マジックテープ（登録商標）等の材料に拘らない。
【考案の詳細な説明】
【技術分野】
【０００１】
本考案は、出し入れ簡単な二重底ハンドバッグに関するものである。
【背景技術】
【０００２】
デザイン性が求められるバッグでバッグの正面側、背面側、左右側面、バッグの内面にいろんなポッケトを付けてその利便性を高めてきたが、正面側、背面側、側面側は直接にバッグのデザイン性に影響を与えることになる。又、バッグの内面ポケットはバッグの内面の空間を考えベダーポケット仕様が多いが中に物を入れると膨らみ、バッグの中の使用空間が狭くなったり、物の出し入れが不便だったりする問題があった。
【考案の概要】
【考案が解決しようとする課題】
【０００３】
バッグの正面、背面、側面のポケットはバッグのデザインに影響が大きい。又、バッグの中の空間も限られる空間で物を探せながったり、バッグ中にバッグを入れるとその分空間は有効に活用できない。
【課題を解決するための手段】
【０００４】
本考案はバッグの正面、背面、側面のデザイン性に影響を与えることなく、又、バッグの中の限られた空間を使うことなく、バッグの底に二重底を付ける事により簡単に出し入れできる空間を作り出す。
【考案の効果】
【０００５】
以上述べたように、本考案によりバッグの底に二重底を付ける事によりバッグの正面、背面、側面のデザインに影響を与えることなく、エコバッグ等の出し入れが簡単便利になる。
【実施例】
【０００６】
以下、実施例により本考案の実施様態を具体的に説明する。ただし、本考案はこれらの実施例にその使用資材が限定されるものではない。
【図面の簡単な説明】
【０００７】
【図１】バッグの正面図
【図２】バッグの背面図
【図３】バッグの右側面図
【図４】バッグの左側面図
【図５】バッグの二重底部分開口図
【符号の説明】
【０００８】
１  バッグの本体
２  ファスナー
３  二重底
４  ファスナーの引手
【図１】
0003200263.tif 000003
【図２】
0003200263.tif 000004
【図３】
0003200263.tif 000005
【図４】
0003200263.tif 000006
【図５】
0003200263.tif 000007
【手続補正書】
【提出日】平成27年8月5日(2015.8.5)
【手続補正１】
【補正対象書類名】実用新案登録請求の範囲
【補正対象項目名】全文
【補正方法】変更
【補正の内容】
【実用新案登録請求の範囲】
【請求項１】
バッグ等入れ物の底に外開きの底マチをもう一層付ける事により、エコバッグなど必要小物をバッグの底に簡単に収納することにより、バッグの面のデザイン性に影響を与えることなく、実用的で便利な使用空間を作り出す二重底バッグであり、その取り付け方法はファスナー、スナップ釦、面ファスナー等、材料に拘らない二重底バッグである。
(57)【要約】      （修正有）【課題】顔面の肌に短時間で容易に複合的な美肌効果を与えることができる超音波美顔器を提供する。【解決手段】把手部１のヘッド部分に接触子２が設けられ、この接触子の内部に超音波振動子３が取り付けられている超音波美顔器において、接触子２に、多元素鉱物のパウダーおよび金が含有またはコーティング（メッキを含む）されている。また、把手部１のヘッド部分内に発光ダイオードの光源４を有している。【選択図】図１
0003200262.tif 000002
【実用新案登録請求の範囲】
【請求項１】
把手部のヘッド部分に接触子が設けられ、この接触子の内部に超音波振動子が取り付けられている超音波美顔器において、この接触子に、多元素鉱物のパウダーおよび金が含有またはコーティング（メッキを含む）によって含有されている美顔器。
【請求項２】
請求項１の超音波美顔器において、把手部のヘッド部分内部に発光ダイオードが取り付けられている美顔器。
【考案の詳細な説明】
【考案の詳細な説明】
【技術分野】
【０００１】  本考案は、肌ケア装置としての超音波美顔器に関し、特に、多元素鉱物のパウダーおよび金から放射される微弱電流と、超音波振動と発光ダイオードによる光エネルギーの作用との相乗効果によって効果的な顔肌のケアができるようにした超音波美顔器に関する。
【背景技術】
【０００２】  従来、超音波美顔器として、把手部のヘッド部分に接触子が設けられ、この接触子の内部に超音波振動子が取り付けられたものが知られている。
この超音波美顔器は、把手部を手で持ち、接触子を顔肌に接触させて使用するもので、このとき接触子の超音波振動によって肌に刺激を与え、美容液の浸透を促すことで、顔肌の手入れを行なうようになっている。
【考案の概要】
【考案が解決しようとする課題】
【０００３】  金による美肌効果は証明されており、その効果を得るためにエステサロン等で主に金箔を肌に塗装するという施術があるが、そのような金箔エステに用いられる金箔は再使用できるものではなく、不経済で非常に高価である。
【課題を解決するための手段】
【０００４】  上記の課題を解決するために、本考案の超音波美顔器（請求項１）は、把手部のヘッド部分に接触子が設けられ、この接触子の内部に超音波振動子が取り付けられている超音波美顔器において、接触子に多元素鉱物のパウダーおよび金が含有またはコーティング（メッキを含む）されている構成とした。
この場合、前記請求項１記載の超音波美顔器において、把手部のヘッド部分の内部に発光ダイオードが内臓された態様がある。（請求項２）
【考案の効果】
【０００５】  本考案（請求項１）では、超音波振動子による接触子の超音波振動によって肌に刺激を与えることによる顔肌のケアと、多元素鉱物のパウダーおよび金から放射される微弱電流との相乗効果によって、効果的な顔肌のケアができる。
特に、超音波振動と微弱電流との相乗作用によって、顔の皮膚老廃物を取り除き、角質除去とトラブルのある皮膚を改善し、また、皮膚の新陳代謝を円滑にして、いつも清潔できれいな皮膚の維持に役立つ効果的な顔肌のケアができる。
又、接触部を金メッキでコーティングすることにより、高級感のある作りとなっている。【０００６】また、本考案（請求項２）では、請求項１記載の超音波美顔器において、把手部のヘッド部分の内部に発光ダイオードが取り付けられ、これより放射する光エネルギーの作用を顔肌に与えることができる。
【考案を実施するための最良の形態】
【０００７】  以下、本考案の実施例を図面に基づいて詳細に説明する。
図１は本考案の実施例にかかる超音波美顔器の概略断面図である。【００８】  本実施例の超音波美顔器Ａは、把手部１のヘッド部分に接触子２が設けられ、この接触子２の内面に超音波振動子３が取り付けられている。
なお、前記超音波振動子３は制御回路（図示省略）によって、その作動が制御されるようになっている。【０００９】把手部１のヘッド部分に３種類の発光ダイオードの光源４が取り付けられている。光源４は美容用の特殊なものである。ライトの種類は青、緑、赤の３色と全灯の計４パターンである。【００１０】発光ダイオードの光源４は、制御回路（図示省略）によって、その作動が制御されるようになっている。【００１１】  前記接触子２は、通常、多元素鉱物のパウダーおよび金によってコーティングされている。【００１２】  従って、この超音波美顔器Ａは、把手部１を手で持ち、接触子２を顔肌に接触させて使用するもので、このとき超音波振動子３による接触子２の超音波振動によって肌に刺激を与えて肌細胞を活性化させ、顔肌のケアを行なうことができる。【００１３】  そして、接触子２の多元素鉱物のパウダーおよび金によって微弱電流を発生させることができる。
従って、この微弱電流によって顔肌に対する保湿性が向上し、顔肌に潤いを持たせることができるし、顔肌の血行を良好にさせて、新陳代謝のアップを促進し肌のターンオーバーを整え、肌のリフトアップを促進させる。また、金には抗菌作用があり、肌の炎症をおさせる働きがある。さらにコラーゲンやエラスチンを作り出す細胞を活性化させる。
（参考：Ａｎｔｉ−ｇｌｙｃａｔｉｏｎ  ｅｆｆｅｃｔ  ｏｆ  ｇｏｌｄ  ｎａｎｏｐａｒｔｉｃｌｅｓ  ｏｎ  ｃｏｌｌａｇｅｎ．）【００１４】  そして把手部１のヘッド部分に内臓された発光ダイオードによる光エネルギーの作用を顔肌の深部に届けることにより、コラーゲンの生成や肌のターンオーバーの促進、ニキビの原因菌の殺菌をすることができる。
発光ダイオードの色ごとに効果は異なり、青色はニキビの原因であるアクネ菌を死滅させ、皮脂腺から出る過剰な皮脂の分泌を抑制することで、ニキビを鎮静化させるとともに、ニキビのできにくい肌を作る効果がある。
緑色は角質層のターンオーバーを正常化し、メラニンの排出をスムーズにすることで、くすみやニキビ跡、傷跡を修復する効果がある。
赤色は筋肉層まで届く波長のライトで、コラーゲンとエラスチン生成を促進し、細胞を増殖させることで弾力が生まれ、シワの改善などのアンチエイジング効果がある。
（参考：科学研究費助成事業／可視光の皮膚アンチエイジング効果に関する基礎的研究〜ＤＮＡ修復機能に着目して）【００１５】  特に、超音波振動と、金による微弱電流との相乗作用によって、顔の皮膚老廃物を取り除き、角質除去とトラブルのある皮膚を改善し、また、皮膚の新陳代謝を円滑にして、いつも清潔できれいな皮膚の維持に役立つ効果的な顔肌のケアができる。
【図面の簡単な説明】
【００１６】
【図１】  本考案の実施例にかかる超音波美顔器の概略断面図である。
【図１】
0003200262.tif 000003
(57)【要約】      （修正有）【課題】爪もみと耳つぼのツボ押しが機能的に実践できる爪もみと耳つぼのリングを提供する。【解決手段】本体上部の外側に３箇所以上の大小の突起物を設け、突起物には異なる間隔と下部には開閉部を施している。爪もみと耳つぼの両方のツボ押しが実践でき、且アクセサリーリングとしても携帯できることを特徴とする。【選択図】図１
0003200270.tif 000002
【実用新案登録請求の範囲】
【請求項１】
指輪形状（リング）で形成された爪もみと耳つぼのリングである。本体上部の外側に３箇所以上の大小の突起物を設け、突起物には異なる間隔と下部には開閉部を施している。爪もみと耳つぼの両方のツボ押しが実践でき、且アクセサリーリングとしても携帯できることを特徴とする爪もみと耳つぼのリング。
【考案の詳細な説明】
【技術分野】
【０００１】本考案は、爪もみと耳つぼに関するものである。
【背景技術】
【０００２】一般的な爪もみと耳つぼは、指でツボ押しをするが加圧刺激が弱く又、耳の皮膚は複雑に凸凹しておりツボのポイント位置を捉えにくいという欠点があった。
【考案の開示】
【考案が解決しようとする課題】
【０００３】本考案は、爪もみと耳つぼのツボのポイントを的確に捉え加圧力のある刺激ができることで上記の課題を解決しようとするものである。
【課題を解決するための手段】
【０００４】本考案は、爪もみと耳つぼの機能的なポイント刺激ができる。
【考案の効果】
【０００５】本考案は、爪もみと耳つぼの両方のツボのポイントを的確に捉え、効果的な爪もみと耳つぼのツボ押しが容易に実践できる。
【図面の簡単な説明】
【０００６】
【図１】本考案の平面図である。
【図２】本考案の各部位の平面図である。
【図３】本考案の爪もみのツボ押し実施図である。
【図４】本考案の耳つぼのツボ押し実施図である。
【考案を実施するための最良の形態】
【０００７】本考案は、３箇所以上の大小の突起物に異なる間隔を設け開閉部を施した指輪型リングである。材質は金属と合成樹脂である。突起物は爪もみと耳つぼの両方のツボに適合し、且アクセサリーリングとしても愛用できる最良の形態である。
【符号の説明】
【０００８】１  本考案本体
２  大小の突起物
３  突起物の異なる間隔
４  開閉部
【図１】
0003200270.tif 000003
【図２】
0003200270.tif 000004
【図３】
0003200270.tif 000005
【図４】
0003200270.tif 000006
(57)【要約】      （修正有）【課題】速く正確に家庭学習ができているか、できていないかをチェックする電子式家庭学習チェック装置を提供する。【解決手段】学校にインターネットに繋がった、電子式の家庭学習チェック装置１を設置し、家庭学習チェック装置１で家庭学習済みの画像３を受け取り、自動的に家庭学習済みのチェックを行なう。【選択図】図１
0003200268.tif 000002
【実用新案登録請求の範囲】
【請求項１】
インターネットにつながり、且つ内部にあらかじめ登録された機器からの受信画像とあらかじめ登録された名簿とを照らし合わせて、チェックしていく制御部と、チェックされた前記名簿を映し出す表示部を持つことを特徴とする電子式家庭学習チェック装置。
【考案の詳細な説明】
【技術分野】
【０００１】  本考案は、家庭における宿題プリント、ノ−ト学習など紙媒体の反復学習を効率的にチェックするための家庭学習点検機置に関するものである。
【背景技術】
【０００２】  学習というものは、学校で習っただけでは定着しない。家庭において宿題としての反復学習をきっちりとする中で定着していくものである。しかしながら学校において、その宿題のチェックをきっちりと行い対応していくのは容易なことではない。
【考案の概要】
【考案が解決しようとする課題】
【０００３】  学校において、教師は、児童、生徒の登校とともに、提出された多数の宿題プリント、ノ−ト等の家庭学習のチェックに追われ、未提出分の対応、提出分の採点、やりなおし分の対応に追われるが、それは授業の合間を縫った時間を使ってこなさなければならず、同時に授業中のノ−ト点検、小テスト等の採点等もしていかなければならず、宿題チェックをきっちりと点検して、効果的に対応していくことは物理的に到底無理という課題が存在する。その為、家庭学習が効果的に行なわれていない児童、生徒が少なからず存在することは否めないという現実がある。
【課題を解決するための手段】
【０００４】  学校にインタ−ネットに繋がった、電子式の家庭学習チェック装置を設置し、前記装置で家庭学習済みの画像を受け取り、自動的に家庭学習済みのチェックを行なう。
【考案の効果】
【０００５】  学校において、教師が登校した時点で、家庭学習をしたか、していないかのチェックができており、していない者に対しての対応が余裕を持ってできる。家庭での反復学習が十分でない場合、学習が遅れ気味になり自暴自棄な生活態度から引きこもりを生む可能性も少なくないのであるが、初期の段階での手当てが可能となる。また、学習課題を送信するという刺激により、児童生徒の宿題への取り掛かり力を換気することができる。また、チェックする保護者にとってもこどもへの関与により積極性を持たせることができる。
【図面の簡単な説明】
【０００６】
【図１】  学校内に設置された宿題の画像を受信する電子式家庭学習チェック装置
【図２】  宿題の画像を送信する電子機器
【図３】  宿題画像
【考案を実施するための形態】
【０００７】  学校内にインタ−ネットに繋がった「電子式家庭学習チェック装置」を設置し、前記「電子式家庭学習チェック装置」にアクセス可能な画像送信機を事前に認識させ、前記画像送信機より宿題画像が前記「電子式家庭学習チェック装置」に送信されると、自動的に宿題済みのチェックが行なわれる。
【０００８】  宿題プリント類には、名前を記入する場所が指定されているが、ノ−ト類には指定された場所がないため、欄外などの空いたスペ−スに本人の肉筆で名前を記入し、名前ごと宿題ノ−トの画像を送信することとする。
【実施例】
【０００９】  以下添付図に従って、一実施例を説明する。１は、電子式宿題チェック装置の本体であり、２の画像を送信する機能がついているファックス及び携帯電話などから送られてくる３の宿題画像を受け取りあらかじめ組み込まれた名簿と照らし合わせ宿題をチェックする。
【符号の説明】
【００１０】  １  電子式宿題チェック装置
２  電子式宿題チェック装置の画像受信部分
３  電子式宿題チェック装置の情報表示部分
４  画像送信機器
５  宿題画像
【図１】
0003200268.tif 000003
【図２】
0003200268.tif 000004
【図３】
0003200268.tif 000005
(57)【要約】      （修正有）【課題】男子が立ち小便をする際、便器外に尿が飛び散るのを防止し、便器や衣服、手等を汚す事を無くす男子立ち小便飛散防止用ペーパーを提供する。【解決手段】男子立ち小便飛散防止用ペーパー１であって、長方形をした一枚の水溶解紙を、長手方向を二等分する位置で二つ折り２にした後、二つ折りにより形成された辺に対して直交する辺を接着し、それによってできた頂点の角に小穴６を設けたことを特徴とする。使用後は水洗トイレに流せるのでトイレ内の美化と清潔に役立つ。【選択図】図２
0003200265.tif 000002
【実用新案登録請求の範囲】
【請求項１】
本考案の男子立ち小便飛散防止用ペーパーは、長方形をした一枚の水溶解紙でできており、長手方向を二等分する位置で二つ折りにした後、その辺に対して直交する辺を接着し、それによってできた頂点の角に小穴を設けたものである。立ち小便時は小穴とは対角に位置する閉じていない二辺を開き漏斗形状にして間に陰茎を挟み込み、開いた二辺を手等で保持し小便すると、先端に設けた空間と小穴により放尿の方向と圧力がコントロールできるようになり、便器外への尿の飛散が無くなるところを特徴とする。
【請求項２】
本考案の男子立ち小便飛散防止用ペーパーは、小便に濡れてから100秒前後で溶解が始まる水溶解紙でできているため、小便途中では水溶解紙が溶けないところを特徴とする。
【考案の詳細な説明】
【技術分野】
【０００１】
本考案は、男子が立ち小便時に使用する小便飛散防止用ペーパーに関するものである。
【背景技術】
【０００２】
男子が立ち小便をすると予想もしていない方向に小便が飛び出てしまい、便器の外や便器の周りまたは衣類あるいは手等を汚す事があり、不愉快な思いをしていた。
【先行技術文献】
【特許文献】
【０００３】
【特許文献１】特開2013-240564号  公報
【考案の概要】
【考案が解決しようとする課題】
【０００４】
便器、衣服、手等を汚す事無く、快適に立ち小便ができるようにするものである。
【課題を解決するための手段】
【０００５】
男子が立ち小便をする直前に、漏斗形状になった本考案の男子立ち小便飛散防止用ペーパーに陰茎を挟み込み放尿すると、先端の小穴から減圧された小便が放出されるので、期待通りの便器内に放尿が可能となり問題点を解決している。
【考案の効果】
【０００６】
この男子立ち小便飛散防止用ペーパーを使う事により、思いがけない便器外への尿の飛散が無くなり、小便をする男子本人もトイレを清掃する人も快適で、衛生上にも大変役立つ。
【図面の簡単な説明】
【０００７】
【図１】本考案の男子立ち小便飛散防止用ペーパーの斜視図である。
【図２】本考案の使用形態を表す図面である。
【考案を実施するための形態】
【０００８】
以下、添付図面に従って形態を説明する。図1の男子立ち小便飛散防止用ペーパー（1）は、15ｃｍ  ｘ  10ｃｍ程度の長方形をした一枚の水溶解紙からできており、（2）の部位で二つ折り後（3）の部位で四つ折り、（4）の部分を接着しそれによってできた頂点の角に直径8ｍｍ程度の小穴（6）を設けたものである。
【実施例】
【０００９】
以下、添付図面に従って実施例を説明する。図2は男子立ち小便飛散防止用ペーパー（1）の二つ折り部（2）を下にして小穴（6）が下を向くように持ち、開放部（5）を開き、間に陰茎（7）を挟み込み、開放部（5）を手等で保持し放尿すると、小穴（6）より一定の圧力で一定の方向に小便が放出できるものである。男子立ち小便飛散防止用ペーパー（1）は水溶解紙のため使用後は水洗トイレに流すことができる。
【符号の説明】
【００１０】
1 本考案の男子立ち小便飛散防止用ペーパー本体
2 二つ折り部
3 四つ折り部
4 接着部
5 開放部
6 小穴
7 陰茎
【図１】
0003200265.tif 000003
【図２】
0003200265.tif 000004
【手続補正書】
【提出日】平成27年7月31日(2015.7.31)
【手続補正１】
【補正対象書類名】実用新案登録請求の範囲
【補正対象項目名】請求項１
【補正方法】変更
【補正の内容】
【請求項１】
男子立ち小便飛散防止用ペーパーであって、長方形をした一枚の水溶解紙を、長手方向を二等分する位置で二つ折りにした後、二つ折りにより形成された辺に対して直交する辺を接着し、それによってできた頂点の角に小穴を設けたことを特徴とする男子立ち小便飛散防止用ペーパー。
【手続補正２】
【補正対象書類名】実用新案登録請求の範囲
【補正対象項目名】請求項２
【補正方法】変更
【補正の内容】
【請求項２】
前記水溶解紙は、小便に濡れてから１００秒前後で溶解が始まる材質であることを特徴とする請求項１に記載の男子立ち小便飛散防止用ペーパー。
(57)【要約】      （修正有）【課題】置き場のないコードを痛めることなく、すっきりと電化製品などの本体壁面に巻回し収納する両鍔型コードリールを提供する。【解決手段】電化製品の壁面に取り付けて使用するコードリールであって、あたかも車軸の両端に車輪を付けた様な形であり、軸胴部２の両端に、軸胴部２に直交する形で、鍔状のフック、即ち鍔フック部１を設け、鍔フック部１において、軸胴部２を挟んで相互に逆向きになる外側壁面５に、貼り剥がし可能な接着３又は吸着部を設け、この様に構成されたフック体２個を用意し、相互に間隔をおいて壁面に設置し、双方の軸胴部２に、電気コードを外側から巻回して収納することを特徴とする。【選択図】図１
0003200274.tif 000002
【実用新案登録請求の範囲】
【請求項１】
電化製品の壁面に取り付けて使用するコードリールであるが、あたかも車軸の両端に車輪を付けた様な形であり、軸胴部の両端に、軸胴部に直交する形で、鍔状のフック、即ち鍔フック部を設け、鍔フック部において、軸胴部を挟んで相互に逆向きになる外側壁面に、貼り剥がし可能な接着又は吸着部を設け、この様に構成されたフック体２個を用意し、相互に間隔をおいて壁面に設置し、双方の軸胴部に、電気コードを外側から巻回して収納することを特徴とする両鍔型コードリール。
【考案の詳細な説明】
【技術分野】
【０００１】本考案は、電化製品などコードの収納に関するものである。
【背景技術】
【０００２】  従来、電化製品のコードは壁などのコンセントプラグに繋がれていないときや、電化製品の収納時には、不規則、乱雑に周辺に這い回ったり、絡まりあったりしていた。
【考案の概要】
【考案が解決しようとする課題】
【０００３】  壁などのコンセントプラグに繋がれていないときの、コードは  収納場所がなく、周辺に散乱し、整理整頓に困っていた。
本考案は、それを解決する為になされたものである。
【課題を解決するための手段】
【０００４】  電化製品の壁面に取り付けて使用するコードリールである。あたかも車軸の両端に車輪を付けた様な形であり、軸胴部の両端に、軸胴部に直交する形で、鍔状のフック、即ち鍔フック部を設け、鍔フック部において、軸胴部を挟んで相互に逆向きになる外側面に、貼り剥がし可能な接着又は吸着部を設ける。この様に構成されたフック体２個を用意し、相互に間隔をおいて壁面に設置し、双方の軸胴部に、電気コードを外側から巻回して収納する。
以上を特徴とする両鍔型コードリールである。
【考案の効果】
【０００５】  従来、未使用時に行き場のなかったコードが、本考案により電化製品など、コードを有する製品本体の適所に設置することができ、コードを外側から巻回して収納できるようになる。
例えば扇風機のコードであるが、掃除機をかけるときなどには、コードが非常に邪魔になり、長く伸びたコードを掃除機に吸い込んでしまいそうになったり、足で踏んでしまいそうになることがある。
その時に、この両鍔型コードリールを扇風機本体に付け、コードを巻回しておけば、扇風機自体の移動や、掃除も非常にスムーズに行うことができる。
【図面の簡単な説明】
【０００６】
【図１】本考案の斜視図
【図２】本考案の使用状態を表す斜視図
【図３】本考案の実施例を示す斜視図
【考案を実施するための形態】
【０００７】  以下、本考案の実施の形態を説明する。
（イ）コードを巻きつける鍔フック（１）、軸胴部（２）、接着部（３）、吸盤（４）
（ロ）鍔フック（１）の中心部内に、軸胴部（２）を設ける。
（ハ）鍔フック（１）の外側壁面（５）に、接着部（３）または、吸盤（４）を設ける。
本考案は、以上のような構造である。
本考案を使用するときは、鍔フック（１）を二つ用意し、それぞれを使用する電化製品の本体外面壁に付ける。そして、軸胴部（２）に、コードを巻回して使用する。軸胴部（２）は、ゴム素材で覆われているので、コードが巻きつきやすい。
なお、接着部（３）は、貼り剥がし可能な接着テープなどを使用することもできる。
接着部（３）、吸盤（４）は、購入者の使用状況や好みにより選択することができる。
例えば、空気清浄機であるが、本体は非常に重く、また、大きいので床面に置いてある場合がほとんどである。しかしながら、床面を掃除するときは、これを移動しなければならない。その際には、本体自身でコードを踏んでしまったり、掃除機をかけるときに、コードを吸い込んでしまいそうになる。
そこで、この両鍔型コードリールを、空気清浄機本体に取り付けて、コードを巻回せば、すっきりと収まり、移動や掃除が格段にスムーズに進むわけである。
また、扇風機などの季節の家電や、未使用時のゲーム機器などの収納時にも、コードが邪魔になるが、その際にも、この両鍔型コードリールを本体に取り付けて使用すれば、コードを痛めることなく、周辺風景もすっきりと収納できるのである。
【符号の説明】
【０００８】１鍔フック部    ２軸胴部    ３接着部    ４吸盤    ５外側壁面
【図１】
0003200274.tif 000003
【図２】
0003200274.tif 000004
【図３】
0003200274.tif 000005
(57)【要約】      （修正有）【課題】インパクトがあり、横支え棒の先の乳の付近が切れにくく、支柱通しを左右どちらにも固定できるのぼりを提供する。【解決手段】型はインパクトのある木の葉型にし、支柱通しは左固定、右固定ではなく左右同時に設けてスイッチ利用を図れるようにする。また、横支え棒の先の乳の付近が切れやすいことへの対処は、木の葉型にすることによって軽減が図られる。【選択図】図１
0003200277.tif 000002
【実用新案登録請求の範囲】
【請求項１】
木の葉型をした左右同時に支柱通しのついているのぼり
【考案の詳細な説明】
【技術分野】
【０００１】本実用新案は  木の葉型をしたのぼりに関するものである、【０００２】従来は長方形の型をしたもので支柱通しが左右どららか一方に固定されたものであり左固定のものが圧倒的で需要はあるが右使用のものは特注での対処であった
【先行技術文献】
【０００３】
【実用新案がが解決しようとする課題】
【０００４】型は長方形が圧倒的に多く横支え棒の先の乳の付近が切れやすい。また、支柱通しが単独に左固定、右固定となっており、スイッチ利用できる支柱通しのものがない状況にある。
【問題を解決する手段】
【０００５】横支え棒の先の乳の付近の切れやすいことを防ぐために形を木の葉型にして対処する。
また、支柱通しは左側固定が圧倒的に多い現状ですが、右側使用の需要もあることから、需要に応えるべく、左右に同時に支柱通しを設けて対処する。
【図面の簡単な説明】
【０００６】
【図１】全体図
【実用新案を実施するための形態】
【０００７】実用新案を実施するための構造は、形を木の葉型にし、左右両側に支柱通しを同時に、つける。支柱通しは必要に応じて左右を選択して使用する。
【符号の説明】Ａ：左側支柱通し    Ｂ：右側支柱通し    Ｃ：支柱通し最終点
【図１】
0003200277.tif 000003